【手続補正書】
【提出日】平成19年11月6日(2007.11.6)
【手続補正１】
【補正対象書類名】明細書
【補正対象項目名】特許請求の範囲
【補正方法】変更
【補正の内容】
【特許請求の範囲】
【請求項１】
ランドリー及び／又はクリーニング及び／又はファブリックケア組成物であって、洗剤成分及び又はクリーニング成分及び／又は界面活性剤成分及び／又はファブリックケア成分及び有用薬剤を含み、この有用薬剤はキャリアに担持され、担持された有用薬剤が２０℃で少なくとも４００ｃｐｓの粘度を有することを特徴とする、組成物。
【請求項２】
ランドリー及び／又はクリーニング及び／又はファブリックケア組成物の中に組込まれる、担持された組成物の乾燥表面臭気指数が５をこえ、好ましくは少なくとも１０である、請求項１に記載の組成物。
【請求項３】
キャリアが液状キャリア、固体状キャリア、及びそれらの混合物から選択され、好ましくは液状キャリアである、請求項１又は２に記載の組成物。
【請求項４】
キャリアが、有用薬剤と化学的に反応させたポリマー、有用薬剤と化学的に反応させた成分、有用薬剤と化学的な反応ができないポリマー、及びそれらの混合物から選択される、請求項１〜３のいずれか１項に記載の組成物。
【請求項５】
キャリアが水不溶性である、請求項１〜４のいずれか１項に記載の組成物。
【請求項６】
キャリアが、酸ハライド、パルミトイルクロリド、ミリストイルクロリド、酸無水物アルキルハライド、アリールハライド、アルデヒド、ケトン、無水物、カルボン酸、及びそれらの混合物から選択された成分と反応させたポリマー、好ましくは、アルデヒド、ケトン及びそれらの混合物から選択された成分と反応させたポリマーである、請求項１〜５のいずれか１項に記載の組成物。
【請求項７】
アルデヒド及び／又はケトンが香気を有するアルデヒド及び／又はケトンであって、好ましくは、ウンデシレン酸アルデヒド、ウンデカラクトンガンマ、ヘリオトロピン、ドデカラクトンガンマ、ｐ−アニスアルデヒド、ｐ−ヒドロキシ−フェニル−ブタノン、サイマール、ベンジルアセトン、イオノンアルファ、ｐ．ｔ．ブシナール、ダマセノン、イオノンベータ、メチル−ノニルケトン、ライラール、ジヒドロイソジャスモネート、シトラール、１−デカナール、ベンズアルデヒド、フロルヒドラール、２，４−ジメチル−３−シクロヘキセン−１−カルボキシアルデヒド；シス／トランス−３，７−ジメチル−２，６−オクタジエン−１−アール；ヘリオトロピン；２，４，６−トリメチル−３−シクロヘキセン−１−カルボキシアルデヒド；２，６−ノナジエナール；α−ｎ−アミルシンナミックアルデヒド、α−ｎ−ヘキシルシンナミックアルデヒド、Ｐ．Ｔ．ブシナール、ライラール、サイマール、メチルノニルアセトアルデヒド、トランス−２−ノネナール、リリアール、トランス−２−ノネナール、ラウリン酸アルデヒド、ウンデシレン酸アルデヒド、メフロラール、フェニルアセトアルデヒド、α−ダマスコン、δ−ダマスコン、イソ−ダマスコン、カルボーン、γ−メチル−イオノン、イソ−Ｅ−スーパー、２，４，４，７−テトラメチル−オクト−６−エン−３−オン、ベンジルアセトン、β−ダマスコン、ダマセノン、メチル−ジヒドロジャスモネート、メチルセドリロン、ヘジオン、及びそれらの混合物から選択される、請求項６に記載の組成物。
【請求項８】
有用薬剤と化学的に反応させたポリマー又は成分がアミノ官能基成分であり、好ましくは、エチル−４−アミノベンゾエート、ポリエチレンイミンポリマー；ジアミノブタンデンドリマーであるアストラモル（Ａｓｔｒａｍｏｌ）（登録商標）、ポリリシン、架橋ポリリシン、Ｎ，Ｎ’−ビス−（３−アミノプロピル）−１，３−プロパンジアミン（直鎖状又は分岐状）；１，４−ビス−（３−アミノプロピル）ピペラジン、及びこれらの混合物から選択される、請求項４〜６のいずれか１項に記載の組成物。
【請求項９】
有用薬剤と化学的な反応をすることができないポリマーが、ポリイソブチレンポリマーである、請求項４又は５のいずれか１項に記載の組成物。
【請求項１０】
担持された組成物のキャリアの分子量が２．０００から１０．０００．０００の範囲にある、請求項１〜８のいずれか１項に記載の組成物。
【請求項１１】
有用薬剤が香気組成物を含むか又は香気組成物であり、好ましくは、ＯＤＴが１ｐｐｍより低い香気成分を少なくとも５質量％、好ましくは１０質量％含み、ここで、好ましくは有用薬剤のキャリアに対する比が１０：１から１：１０まで、更には１：３から３：１までの範囲にある、請求項１〜１０のいずれか１項に記載の組成物。
【請求項１２】
有用薬剤が香気組成物であり、好ましくはＣｌｏｇＰが少なくとも２．０、好ましくは少なくとも３．０で、沸点が少なくとも２５０℃である香気成分を少なくとも１０質量％、好ましくは２５質量％含む、請求項１〜１０のいずれか１項に記載の組成物。
【請求項１３】
有用薬剤が香気組成物であり、好ましくはＣｌｏｇＰが少なくとも２．０、好ましくは少なくとも３．０で、沸点が２５０℃以下である香気成分を、少なくとも２０質量％、好ましくは３５質量％含む、請求項１〜１０のいずれか１項に記載の組成物。
【請求項１４】
有用薬剤が殺生物剤、好ましくは抗菌剤、防虫剤又は医薬用薬剤を含むか、又は殺生物剤、好ましくは抗菌剤、防虫剤又は医薬用薬剤であり、ここで好ましくは、有用薬剤のキャリアに対する比が１０：１から１：１０まで、更には１：３から３：１までの範囲にある、請求項１〜１３のいずれかに記載の組成物。
【請求項１５】
担持された有用薬剤を更に加工して、粒子径が１５０から８５０マイクロメートルまでの凝集物とする、請求項１〜１４のいずれか１項に記載の組成物。
【請求項１６】
担持された有用薬剤を更に、液状のキャリア分散物質、好ましくは非イオン性アルコキシル化化合物及びグリコール誘導体から選択される液状のキャリア、好ましくはＴＡＥ８０及び／又は質量平均分子量が１０００から１０，０００までのＰＥＧと混合する、請求項１〜１５のいずれか１項に記載の組成物。
【請求項１７】
担持された有用薬剤を更に、固体状の粒状化剤、好ましくは有機酸又は有機塩、無機酸又は無機塩、シリケート、好ましくはゼオライト、炭酸塩クレイ、硫酸塩、有機酸又は有機酸塩、シリケート又はそれらの混合物から選択される、固体状の粒状化剤と混合する、請求項１〜１６のいずれか１項に記載の組成物。
【請求項１８】
担持された有用薬剤が更に増粘剤を含み、及び／又は、担持された有用薬剤がキャリアとしてポリマーを含み、そして、それがまた、架橋剤、好ましくはアルデヒド又は２官能性アルデヒドを含み、好ましくは担持された有用薬剤の増粘剤及び／又は架橋剤に対する比が１００：１から１０：１の範囲である、請求項１〜１６のいずれかに記載の組成物。
【請求項１９】
組成物がランドリー用固形組成物、好ましくは粒状又は錠剤状組成物である、請求項１〜１５のいずれか１項に記載の組成物。
【請求項２０】
前記のランドリー組成物及びクリーニング組成物が液体の形状である、請求項１〜１８のいずれか１項に記載の組成物。
【請求項２１】
処理された表面に有用薬剤の付着を促進させる方法であって、表面を、請求項１〜２０のいずれか１項で定義されたランドリー又はクリーニング又は担持された有用薬剤と接触させるステップを含む、方法。
【請求項２２】
処理された表面上の有用薬剤を遅延放出させる方法であって、表面を、請求項１〜２０のいずれか１項で定義されたランドリー又はクリーニング又は担持された有用薬剤と接触させるステップを含む、方法。
【請求項２３】
表面が布帛である、請求項２１又は２２のいずれか１項に記載された方法。
【請求項２４】
担持された有用薬剤組成物からの有用薬剤の放出が、有用薬剤と反応させたキャリアの加水分解によって達成される、請求項２１〜２３のいずれか１項に記載された方法。